(57)【要約】【課題】プラズマディスプレイパネルを提供する。【解決手段】相互対向するように配置された第１基板及び第２基板と、第１基板と第２基板との間の放電空間を区画して複数の放電領域を形成する隔壁と、第１基板に形成される上部誘電体層と、放電領域で放電を起こすように電圧が印加される複数の放電電極対と、を備え、隔壁は、上部幅と隔壁の高さの１／２における中間部幅とが相異なり、隔壁と第１基板、または隔壁と上部誘電体層は、減算混合関係を有するように着色されたプラズマディスプレイパネルである。これにより、ＦＨＤ級画質を具現するプラズマディスプレイパネルは、外光反射を低減させ、放電空間を広く確保して輝度を向上させ、隔壁の不良率を最小化しうる。【選択図】図１
2008243790.tif 000002
【特許請求の範囲】
【請求項１】
相互対向するように配置された第１基板及び第２基板と、
前記第１基板と第２基板との間の放電空間を区画して複数の放電領域を形成する隔壁と、
前記第１基板に形成される上部誘電体層と、
前記放電領域で放電を起こすように電圧が印加される複数の放電電極対と、を備え、
前記隔壁は、上部幅と前記隔壁の高さの１／２における中間部幅とが相異なり、
前記隔壁と前記第１基板、または前記隔壁と前記上部誘電体層は、減算混合関係を有するように着色されたプラズマディスプレイパネル。
【請求項２】
前記隔壁は、上部幅が前記中間部幅より広いことを特徴とする請求項１に記載のプラズマディスプレイパネル。
【請求項３】
前記上部誘電体層または前記第１基板は、青色で着色されたことを特徴とする請求項１に記載のプラズマディスプレイパネル。
【請求項４】
前記隔壁は、褐色で着色されたことを特徴とする請求項３に記載のプラズマディスプレイパネル。
【請求項５】
前記放電領域のセルピッチは、０μｍを超え、７５０μｍ以下であることを特徴とする請求項１に記載のプラズマディスプレイパネル。
【請求項６】
前記隔壁は、湿式エッチング方法により形成されたことを特徴とする請求項１に記載のプラズマディスプレイパネル。
【請求項７】
前記隔壁は、ペーストを塗布して焼成した後、エッチング液を利用して湿式エッチングすることによって、上部幅が中間部幅より広くなっていることを特徴とする請求項１に記載のプラズマディスプレイパネル。
【請求項８】
前記放電領域の内部に形成された蛍光体層をさらに備える請求項１に記載のプラズマディスプレイパネル。
【請求項９】
相互対向するように配置された第１基板及び第２基板と、
前記第１基板と第２基板との間の放電空間を区画する複数の縦隔壁と、
前記縦隔壁と交差して形成されることによって複数の放電領域を形成する複数の横隔壁と、
前記第１基板に形成された上部誘電体層と、
前記放電領域で放電を起こすように電圧が印加される複数の放電電極対と、を備え、
前記横隔壁は、相互隣接して配置されて非放電領域を形成する第１横隔壁及び第２横隔壁を備え、
前記縦隔壁及び前記横隔壁のそれぞれは、上部幅と前記隔壁の高さの１／２における中間部幅とが相異なり、
前記縦隔壁及び前記横隔壁と前記第１基板、または前記縦隔壁及び前記横隔壁と前記上部誘電体層は、減算混合関係を有するように着色されたプラズマディスプレイパネル。
【請求項１０】
前記縦隔壁及び前記横隔壁のそれぞれの上部幅は、前記中間部幅より広いことを特徴とする請求項９に記載のプラズマディスプレイパネル。
【請求項１１】
前記放電電極対は、前記第１横隔壁及び前記第２横隔壁上に対応して配置されることを特徴とする請求項９に記載のプラズマディスプレイパネル。
【請求項１２】
前記放電電極対は、維持放電期間の間に相異なる波形の電圧が印加されるＸ放電電極及びＹ放電電極を備え、
前記Ｘ放電電極及びＹ放電電極のそれぞれは、前記第１横隔壁及び前記第２横隔壁上に対応して配置されることを特徴とする請求項１１に記載のプラズマディスプレイパネル。
【請求項１３】
維持放電期間の間に同じ波形の電圧が印加される前記放電電極のそれぞれが、前記第１横隔壁及び前記第２横隔壁上に対応して配置されることを特徴とする請求項１１に記載のプラズマディスプレイパネル。
【請求項１４】
前記上部誘電体層または前記第１基板は、青色で着色されたことを特徴とする請求項１４に記載のプラズマディスプレイパネル。
【請求項１５】
前記横隔壁及び前記縦隔壁は、褐色で着色されたことを特徴とする請求項１５に記載のプラズマディスプレイパネル。
【請求項１６】
前記放電領域のセルピッチは、０μｍを超え、７５０μｍ以下であることを特徴とする請求項１０に記載のプラズマディスプレイパネル。
【請求項１７】
前記横隔壁及び前記縦隔壁は、湿式エッチング方法により形成されたことを特徴とする請求項１０に記載のプラズマディスプレイパネル。
【請求項１８】
前記横隔壁及び前記縦隔壁は、ペーストを塗布して焼成した後、エッチング液を利用して湿式エッチングすることによって、上部幅が中間部幅より広くなっていることを特徴とする請求項１０に記載のプラズマディスプレイパネル。
【発明の詳細な説明】
【技術分野】
【０００１】
本発明は、隔壁の不良率を低下させ、かつ外光反射を低減させ、放電空間を広く確保して輝度を向上させたＦＨＤ（Ｆｕｌｌ Ｈｉｇｈ Ｄｅｆｉｎｉｔｉｏｎ）級プラズマディスプレイパネル（Ｐｌａｓｍａ Ｄｉｓｐｌａｙ Ｐａｎｎｅｌ：ＰＤＰ）に関する。
【背景技術】
【０００２】
ＰＤＰは、上部パネルと下部パネルとの間に形成された隔壁が複数の放電領域を区画し、隔壁上に蛍光体を塗布し、各放電領域内にネオン（Ｎｅ）、ヘリウム（Ｈｅ）またはネオンとヘリウムとの混合気体（Ｎｅ＋Ｈｅ）のような主放電ガスと、少量のキセノンを含有する不活性ガスとを充填して形成する。このようなＰＤＰは、高周波電圧を印加して、不活性ガスから真空紫外線を発生させ、真空紫外線により蛍光体を発光させることによって画像を具現する。ＰＤＰは、薄くかつ軽い構成が可能であるので、大画面の次世代ディスプレイ装置として注目されている。
【０００３】
ＰＤＰの画面が大型化されているが、それと共に高画質を具現するために、画素数も顕著に増加している。最近、１９２０Ｘ１０８０解像度を順次走査方式により画像を具現するＦＨＤ級ＰＤＰが開発され、このようなＦＨＤ級ＰＤＰは、約２００万個の画素を備えねばならない。このように、多数の画素を形成するためには、放電領域のセルピッチは、自然に縮小する。放電領域のセルピッチの縮小は、輝度低下という問題を引き起こし、適正レベルの輝度を維持するために、隔壁の幅を縮小させる場合、隔壁の破れ現象が発生して不良率を上昇させる恐れがある。
【発明の開示】
【発明が解決しようとする課題】
【０００４】
本発明の目的は、隔壁の不良率を最小化し、かつ放電空間を広く形成し、外光反射を低減させて輝度を向上させたＰＤＰを提供することである。
【課題を解決するための手段】
【０００５】
本発明は、相互対向するように配置された第１基板及び第２基板と、前記第１基板と第２基板との間の放電空間を区画して複数の放電領域を形成する隔壁と、前記第１基板に形成される上部誘電体層と、前記放電領域で放電を起こすように電圧が印加される複数の放電電極対を備えるＰＤＰを提供する。前記ＰＤＰにおいて、隔壁は、上部幅と、前記隔壁の高さの１／２における中間部の幅とが相異なり、隔壁と前記第１基板、または隔壁と上部誘電体層は減算混合関係を有する。
【０００６】
前記ＰＤＰにおいて、隔壁は、上部幅が前記中間部幅より広い瓶首状に形成されうる。
【０００７】
前記ＰＤＰにおいて、上部誘電体層または第１基板は、青色で着色され、隔壁は、褐色で着色されうる。したがって、前記上部誘電体層または第１基板と隔壁とが重畳される領域は、黒色系列の色を表すことによって、外光反射を低減させうる。
【０００８】
前記ＰＤＰは、ＦＨＤ級ＰＤＰのためにさらに有効に適用できる。したがって、前記ＰＤＰの放電領域のセルピッチは、ＦＨＤ級ＰＤＰのセルピッチであって、すなわち、０μｍを超え、７５０μｍ以下に形成しうる。本発明に係るＰＤＰは、７５０μｍ以下の小さいセルピッチを有するにも拘らず、瓶首状構造を有することによって、相対的に放電空間を広く確保し、蛍光体の塗布面積を拡大させうる。
【０００９】
前記ＰＤＰにおいて、隔壁は、湿式エッチング方法により形成しうる。さらに詳細には、隔壁は、ペーストを塗布して焼成した後、エッチング液を利用して湿式エッチングすることによって、上部幅が中間部幅より広い瓶首状を有するように形成しうる。
【００１０】
前記ＰＤＰにおいて、前記放電領域の内部に塗布された蛍光体層をさらに備えうる。
【００１１】
また、本発明は、相互対向するように配置された第１基板及び第２基板と、前記第１基板と第２基板との間の放電空間を区画する複数の縦隔壁と、前記縦隔壁と交差して形成されることによって複数の放電領域を形成する複数の横隔壁と、前記第１基板に形成された上部誘電体層と、前記放電領域で放電を起こすように電圧が印加される複数の放電電極対と、を備えるＰＤＰを提供する。このとき、前記横隔壁は、相互隣接して配置されて非放電領域を形成する第１横隔壁及び第２横隔壁を備え、前記縦隔壁及び前記横隔壁のそれぞれは、上部幅と、前記隔壁の高さの１／２における中間部の幅とが相異なり、前記縦隔壁及び前記横隔壁と前記第１基板、または前記縦隔壁及び前記横隔壁と前記上部誘電体層は、減算混合関係を有するように着色される。
【００１２】
前記ＰＤＰにおいて、前記縦隔壁及び横隔壁のそれぞれは、上部幅が中間部幅より広い瓶首状を有するように形成される。
【００１３】
前記ＰＤＰにおいて、前記放電電極対は、前記第１横隔壁及び前記第２横隔壁上に対応して配置されて、透光面積を広めて発光効率を向上させうる。
【００１４】
具体的に、前記放電電極対は、維持放電期間の間に相異なる波形の電圧が印加されるＸ放電電極及びＹ放電電極を備え、前記Ｘ放電電極は前記第１横隔壁上に、Ｙ放電電極は前記第２横隔壁上に対応して配置しうる。
【００１５】
または、維持放電期間の間に同じ波形の電圧が印加される前記放電電極のそれぞれを、前記第１横隔壁及び前記第２横隔壁上に対応して配置できる。例えば、第１横隔壁及び第２横隔壁上にＸ放電電極を配置するか、または第１横隔壁及び第２横隔壁上にＹ放電電極を配置しうる。相互隣接した前記第１横隔壁及び第２横隔壁は、非放電領域を形成し、前記非放電領域を境界として、両側に第１横隔壁により第１放電領域を定義し、第２横隔壁により第２放電領域を定義しうる。したがって、第１横隔壁上にＸ放電電極を形成すれば、前記Ｘ放電電極は、前記第１放電領域に放電を起こし、第２横隔壁上にＸ放電電極を形成すれば、前記Ｘ放電電極は、前記第２放電領域に放電を起こす。このような放電電極の構造は、非放電領域を介して前記第１横隔壁及び第２横隔壁上に対応して同じ波形の電圧が印加される放電電極を形成することによって、前記放電電極の間の電圧差によって消費される電力を節減しうる。したがって、全体的に消費電力を減少させうる。
【００１６】
前記ＰＤＰにおいて、上部誘電体層または第１基板は青色で着色され、横隔壁及び縦隔壁は褐色で着色されて、前記上部誘電体層または前記第１基板と前記隔壁との間に減算混合関係を有しうる。
【００１７】
前記ＰＤＰにおいて、放電領域のセルピッチは、ＦＨＤ級ＰＤＰ用であって０μｍ超過７５０μｍ以下に形成しうる。
【００１８】
前記ＰＤＰにおいて、前記横隔壁及び縦隔壁は、湿式エッチング方法で形成され、さらに詳細には、ペーストを塗布して焼成した後、エッチング液を利用して湿式エッチングすることによって、上部幅が中間部幅より広い瓶首状に形成されうる。
【発明の効果】
【００１９】
本発明は、瓶首状を有し、着色された隔壁、及び前記隔壁と補色関係を有する上部誘電体層または第１基板を備えることによって、放電空間が広くなり、かつ前記補色関係により外光反射を低減させて輝度を向上させうる。
【００２０】
特に、ＦＨＤ級ＰＤＰにおいて、瓶首状を有し、着色された隔壁を備えることによって、輝度上昇及び外光反射低減の効果と共に、セルピッチを７５０μｍ以下に縮小させるために、隔壁を薄く形成しても隔壁の破れ現象を減らして、ＰＤＰの信頼性を向上させうる。
【発明を実施するための最良の形態】
【００２１】
以下、本発明に係るＰＤＰを、実施形態によって詳細に説明する。
【００２２】
図１は、本発明の一実施形態に関するＰＤＰの分離斜視図であり、図２は、図１に示すＰＤＰのＩＩ−ＩＩ線による断面図であり、図３は、図１に示すＰＤＰのＩＩＩ−ＩＩＩ線による断面図である。
【００２３】
図１、図２及び図３に示すように、前記ＰＤＰは、上部パネル１５０及び下部パネル１６０を備える。
【００２４】
上部パネル１５０は、第１基板１１１、上部誘電層１１３、保護層１１５及び放電電極１２０を備える。
【００２５】
第１基板１１１は、透光性に優れた素材から形成され、例えば、ガラス基板が使用されうる。また、第１基板１１１は、外光反射を減少させて、明室コントラストを向上させるために着色されうる。また、第１基板１１１は、隔壁１８０と減算混合関係を有するように着色されうる。
【００２６】
前記第１基板１１１上には、複数の放電電極１２０が形成される。放電電極１２０は、透明電極１２３及びバス電極１２１から形成される。透明電極１２３は、放電領域内で放電を引き起こし、かつ維持させる役割を行い、可視光の透過率が高く、かつ電極抵抗の低い物質として、例えば、ＩＴＯ（Ｉｎｄｉｕｍ Ｔｉｎ Ｏｘｉｄｅ）などからなりうる。バス電極１２１は、透明電極１２３の相対的に大きい抵抗値を補償して、複数の放電領域１９０Ｒ、１９０Ｇ、１９０Ｂにほぼ同じ電圧を印加させ、例えば、クロム（Ｃｒ）、銅（Ｃｕ）、アルミニウム（Ａｌ）などからなりうる。
【００２７】
上部誘電体層１１３は、放電電流を制限してグロー放電を維持し、壁電荷蓄積を通じてメモリ機能及び電圧を降下させる役割を行う。放電効率を向上させるために、耐電圧及び可視光の透過率が高いことが望ましい。前記のような上部誘電体層１１３は、隔壁１８０と減算混合関係を有するように着色されうる。
【００２８】
保護層１１５は、荷電粒子の衝突から上部誘電層１１３を保護し、二次電子放出によって放電電圧を下げ、一般的に、酸化マグネシウム（ＭｇＯ）が使用される。
【００２９】
下部パネル１６０は、第２基板１７１、下部誘電層１７３、アドレス電極１７５、隔壁１８０及び蛍光体層１７７Ｒ、１７７Ｇ、１７７Ｂを備える。
【００３０】
第２基板１７１は、前記第１基板１１１と共に透光性に優れた素材から形成され、例えば、ガラス基板から形成されうる。また、第２基板１７１も、外光反射を減少させて、明室コントラストを向上させるために着色されうる。
【００３１】
下部誘電層１７３は、荷電粒子の衝突からアドレス電極１７５を保護する。また、下部誘電層１７３は、絶縁破壊強度が高く、前面発光の場合、光反射率の高い物質から形成されて、発光効率を向上させうる。
【００３２】
アドレス電極１７５は、前記バス電極１２１のように、複数の放電領域１９０Ｒ、１９０Ｇ、１９０Ｂにほぼ同じ電圧が印加されるように、電気伝導度に優れたＣｒ、Ｃｕ、Ａｌなどを利用して形成しうる。
【００３３】
隔壁１８０は、前記上部誘電体層１１３または前記第１基板１１１と減算混合法により補色関係を有する色で着色される。例えば、上部誘電体層１１３または第１基板１１１が青色で着色されれば、前記隔壁１８０は褐色で着色され、上部誘電体層１１３と隔壁１８０とが重畳される領域は、黒色系列の色を表しうる。黒色系列の色は、黒色をはじめとして、黒色と類似した暗い褐色、暗い藍色などの色を含む。
【００３４】
前記のような隔壁１８０は、相互離隔されて配置される第１基板１１１と第２基板１７１との間の放電空間を区画して、複数の放電領域１９０Ｒ、１９０Ｇ、１９０Ｂを形成する。前記隔壁１８０は、上部幅ｗ１が中央部幅ｗ２と異なって形成され、さらに具体的には、上部幅ｗ１が中央部幅ｗ２より広く形成された瓶首状を有するように形成される。したがって、放電空間が広く形成され、かつ蛍光体の塗布面積も広くなりうる。
【００３５】
瓶首状の隔壁１８０を形成するためには、湿式エッチング方法を使用できる。例えば、ペーストを第２基板１７１に塗布して焼成した後、エッチングマスクにより露出したペーストをエッチング液でエッチングさせる。湿式エッチングは、等方性エッチングであって、前記エッチングマスクの下側にエッチング液が浸透して、アンダーカットが発生する。したがって、瓶首状の隔壁１８０を形成できる。
【００３６】
瓶首状の隔壁１８０は、ストライプタイプのような開放型の隔壁形態だけでなく、マトリックスまたはΔタイプのような閉鎖型の隔壁形態を有しうる。閉鎖型隔壁の場合、本実施形態のように、四角形の放電領域以外にも、三角形、五角形などの多角形だけでなく、円形または楕円形のような放電領域を形成できる。
【００３７】
前記隔壁１８０により形成された放電領域１９０Ｒ、９０Ｇ、１９０Ｂは、セルピッチを７５０μｍ以下に形成できる。前記セルピッチは、隣接する放電領域の中心間の距離を意味する。本実施形態では、四角形の放電領域を有するマトリックスタイプの隔壁１８０を形成することによって、縦方向（ｙ方向）の隣接した放電領域、例えば、緑色放電領域１９０Ｇと直後の緑色放電領域１９０Ｇとの中心間隔である第１セルピッチＰ１と、横方向（ｘ方向）の隣接した放電領域、例えば、赤色放電領域１９０Ｒと緑色放電領域１９０Ｇとの中心間隔である第２セルピッチＰ２とを備える。
【００３８】
ＦＨＤ級ＰＤＰは、１９２０Ｘ１０８０解像度に順次走査方式により具現される画質を有する。１９２０Ｘ１０８０解像度に前記順次走査方式により具現される画質は、飛び越し走査方式により具現される画質に比べて顕著に優れた映像を表しうる。
【００３９】
飛び越し走査方式は、まず、縦走査線の奇数列が走査され、次の場面で偶数列が走査される方式であって、縦走査線が必ずしも１０８０個が必要であるのではなく、半分である７６８個の縦走査線のみでも映像を具現できる。しかし、順次走査方式は、１０８０個の縦走査線に順次に信号を印加して映像を表す方式であるので、１０８０個の縦走査線が必ず必要であり、したがって、飛び越し走査方式より２倍鮮明な画質を具現できる。
【００４０】
前述したように、ＦＨＤ級ＰＤＰを製造するためには、多くの走査線が必要であり、したがって、放電領域の間隔はさらに縮小する。適当な放電領域を確保し、隔壁の不良を減らすために、５０インチのＦＨＤ級ＰＤＰの放電領域は、第１セルピッチＰ１が５７６μｍ（放電領域のＹ軸方向の長さ）＋３５μｍ（隔壁の上部幅）＝６１１μｍであり、第２セルピッチＰ２が１９２μｍ（放電領域のＸ軸方向の長さ）＋３５μｍ（隔壁の上部幅）＝２２７μｍを有するように形成できる。
【００４１】
このようなセルピッチを有しつつ適当な輝度を有するＰＤＰを製造するためには、所定サイズの放電空間を確保し、したがって、隔壁を薄く形成せねばならない。しかし、ペーストを塗布して乾燥させた後、サンドブラスティング方法による隔壁の形成方法は、隔壁が薄くなるほど隔壁の破れ現象が著しい。したがって、ＦＨＤ級ＰＤＰにおいて隔壁は、焼成工程後にエッチング液を利用した湿式エッチング方法によって形成することによって、隔壁の破れ現象を防止し、ＰＤＰの信頼度を向上させうる。
【００４２】
また、前記のような湿式エッチング方法により隔壁を形成することによって、放電空間のサイズが大きくなり、蛍光体の塗布面積が広いので、輝度を向上させうる。
【００４３】
さらに、隔壁１８０は、瓶首状を有することによって、放電空間は広く形成し、かつ上部誘電体層１１３または第１基板１１１と重なる隔壁１８０の上部は、所定サイズ、すなわち、上部幅ｗ１で確保できる。したがって、隔壁１８０と上部誘電体層１１３または第１基板１１１とが重畳される領域が、上部幅ｗ１のサイズを有する黒い帯を表して、外光反射をさらに低減させうる。さらに詳細には、図２及び図３に示す隔壁１８０と上部誘電層１１３とが重畳される領域２００が黒色系列の色を有することによって外光反射を低減させうる。
【００４４】
したがって、ＦＨＤ級ＰＤＰは、瓶首状の隔壁及び前記隔壁と補色関係を有する上部誘電層を備えることによって、隔壁の不良率を減らし、輝度上昇及び外光反射を低減させることによってＰＤＰの信頼性を向上させうる。
【００４５】
蛍光体層１７７Ｒ、１７７Ｇ、１７７Ｂは、放電によって生じた真空紫外線を受けて、それぞれＲＧＢ可視光に変換／放出させる。前記のように、隔壁１８０により放電空間が相対的に大きく形成されることによって、蛍光体の塗布面積が広くなる。赤色発光蛍光体層１７７Ｒは、Ｙ（Ｖ，Ｐ）Ｏ４：Ｅｕのような蛍光体を備え、緑色発光蛍光体層１７７Ｇは、Ｚｎ２ＳｉＯ４：Ｍｎ、ＹＢＯ３：Ｔｂのような蛍光体を備え、青色発光蛍光体層１７７Ｂは、ＢＡＭ：Ｅｕのような蛍光体を備える。
【００４６】
前記放電領域１９０Ｒ、１９０Ｇ、１９０Ｂ内には、Ｎｅ、Ｘｅ、Ｈｅなど、及びこれらの混合ガスのような放電ガスが注入される。
【００４７】
図４は、図１に示すＰＤＰの平面図である。
【００４８】
図４に示すように、第１基板１１１を通じて相互補色関係を有する第１基板１１１または上部誘電体層１１３及び隔壁１８０により黒色系列の色領域２００が表示される。隔壁１８０により区画される放電領域１９０Ｒ、１９０Ｇ、１９０Ｂには、放電電極１２０が備えられ、前記放電電極１２０は、透明電極１２３及びバス電極１２１を備える。バス電極１２１、隔壁１８０、上部誘電体層１１３または第１基板１１１が何れも重畳する領域２１０も、黒色系列の色で表示されうる。このような黒色系列の色領域２００、２１０により外光反射を効果的に低減させうる。
【００４９】
図５は、本発明の他の実施形態に関するＰＤＰの分離斜視図である。図５は、二重隔壁を有するＰＤＰを例示する図面であって、図１に示すＰＤＰと異なる隔壁構造、及び前記隔壁上に配置された放電電極を中心に詳細に説明する。図６は、図５に示すＰＤＰのＶＩ−ＶＩ線による断面図であり、図７は、図５に示すＰＤＰのＶＩＩ−ＶＩＩ線による他の断面図である。
【００５０】
図５、図６及び図７に示すように、隔壁１９２は、縦隔壁１９４、及び前記縦隔壁１９４と交差する横隔壁１９６を備える。横隔壁１９６は、相互隣接して配置されて非放電領域１９５を形成する第１横隔壁１９７及び第２横隔壁１９８と、前記第２横隔壁１９８と共に放電領域１９０を形成する第３横隔壁１９９とを備える。前記非放電領域１９５は、排気通路として使用されて排気を効果的に行わせる。
【００５１】
一つの放電領域に所定電圧を印加する一対の放電電極１２０は、有機放電期間の間に他の波形の電圧が印加されるＸ放電電極１２０ｘ及びＹ放電電極１２０ｙからなり、Ｘ放電電極１２０ｘは、Ｘ透明電極１２３ｘ及びＸバス電極１２１ｘを備え、Ｙ放電電極１２０ｙは、Ｙ透明電極１２３ｙ及びＹバス電極１２１ｙを備える。前記Ｘバス電極１２１ｘ及びＹバス電極１２１ｙは、前記横隔壁１９６上に形成されうる。
【００５２】
さらに詳細には、横隔壁１９６は、非放電領域１９５を形成する第１横隔壁１９７と、前記第１横隔壁１９７と隣接した第２横隔壁１９８とを備え、前記第２横隔壁１９８と共に放電領域１９０を形成する第３横隔壁１９９を備える。
【００５３】
前記第１横隔壁１９７及び前記第２横隔壁１９８上にそれぞれＸ放電電極１２０ｘ及びＹ放電電極１２０ｙが形成され、望ましくは、前記第１横隔壁１９７及び前記第２横隔壁１９８上に有機放電期間に同じ波形の電圧が印加される放電電極が形成されうる。例えば、第１横隔壁１９７及び第２横隔壁１９８の両方の上にＸ放電電極１２０ｘが形成されるか、またはＹ放電電極１２０ｙが形成されうる。したがって、ＸＸ−ＹＹ電極構造を有することによって、消費電力を減少させうる。
【００５４】
また、放電電極１２０ｘ、１２０ｙ、望ましくは、バス電極１２１ｘ、１２１ｙを横隔壁１９６上に形成することによって、開口率を向上させて放電効率を高めうる。
【００５５】
前記隔壁１９２と上部誘電体層１１３または第１基板１１１とは、減算混合法によって補色関係を有する色で着色されうる。例えば、上部誘電体層１１３または第１基板１１１が青色で着色されれば、前記隔壁１８０は褐色で着色されて、上部誘電体層１１３または第１基板１１１と隔壁１９２とが重畳される領域２００は、黒色系列の色を有する。さらに詳細には、縦隔壁１９４と上部誘電体層１１３または第１基板１１１と重なる領域２００は、相互補色関係を有することによって、黒色系列の色で表れる。本実施形態のように、横隔壁１９６上にバス電極１２１ｘ、１２１ｙが形成されても、バス電極１２１ｘ、１２１ｙが暗い色を有するので、横隔壁１９６、バス電極１２１ｘ、１２１ｙ及び上部誘電体層１１３または第１基板１１１が重なる領域２１０も、黒色系列の色で表れうる。
【００５６】
前記隔壁１９２は、湿式エッチング方法により瓶首状に形成される。例えば、ペーストを第２基板１７１に塗布して焼成した後、エッチングマスクにより露出したペーストをエッチング液でエッチングさせる。湿式エッチングは、等方性エッチングであって、前記エッチングマスクの下側にエッチング液が浸透して、アンダーカットが発生する。したがって、瓶首状の隔壁１９２を形成できる。瓶首状の隔壁１９２は、上部幅ｗ１が中央幅ｗ２より広く形成されて、上部誘電体層１１３または第１基板１１１と重なる領域２００も拡大して、外光反射を顕著に低減させうる。しかも、瓶首状の隔壁１９２により区画される放電領域１９０Ｒ、１９０Ｇ、１９０Ｂは、放電空間が広く形成され、蛍光体の塗布面積も拡大して輝度を向上させうる。
【００５７】
前記隔壁１９２により形成された放電領域１９０Ｒ、１９０Ｇ、１９０Ｂは、セルピッチを７５０μｍ以下に形成できる。前記セルピッチは、隣接する放電領域の中心間の距離を意味する。本実施形態では、四角形の放電領域を有するマトリックスタイプの隔壁１８０を形成することによって、縦方向（ｙ方向）の隣接した放電領域、例えば、緑色放電領域１９０Ｇと直後の緑色放電領域１９０Ｇとの中心間隔である第３セルピッチＰ３と、横方向（ｘ方向）の隣接した放電領域、例えば、赤色放電領域１９０Ｒと緑色放電領域１９０Ｇとの中心間隔である第４セルピッチＰ４とを備える。第３セルピッチは、放電領域の横長及び隔壁幅を備え、第４セルピッチは、放電領域の縦長、隔壁幅及び排気通路を備える。本実施形態では、横隔壁が二重構造を有することによって、第４セルピッチは、横隔壁の二重構造による排気通路幅をさらに備える。
【００５８】
ＦＨＤ級ＰＤＰは、１９２０Ｘ１０８０解像度に順次走査方式により具現される画質を有する。１９２０Ｘ１０８０解像度に前記順次走査方式により具現される画質は、飛び越し走査方式により具現される画質に比べて顕著に優れた映像を表しうる。
【００５９】
飛び越し走査方式は、まず、縦走査線の奇数列が走査され、次の場面で偶数列が走査される方式であって、縦走査線が、必ずしも１０８０個が必要とされず、半分である７６８個の縦走査線のみでも映像を具現できる。しかし、順次走査方式は、１０８０個の縦走査線に順次に信号を印加して映像を表す方式であるので、１０８０個の縦走査線が必ず必要とされ、したがって、飛び越し走査方式より２倍鮮明な画質を具現できる。
【００６０】
前述したように、ＦＨＤ級ＰＤＰを製造するためには、多くの走査線が必要であり、本実施形態のように、二重構造の横隔壁を備える場合、放電空間はさらに縮小させうる。所定サイズの放電空間を確保するためには、隔壁を薄く形成せねばならないが、ペーストを塗布して乾燥させた後、サンドブラスティング方法による隔壁の形成方法は、隔壁の割れる不良率が高い。したがって、ＦＨＤ級ＰＤＰにおいて隔壁は、焼成工程後にエッチング液を利用した湿式エッチング方法により形成することによって、隔壁の破れを防止できる。
【００６１】
また、前記のような湿式エッチング方法によって隔壁を形成することによって、放電空間のサイズが大きくなり、蛍光体の塗布面積が広いので、輝度を向上させうる。
【００６２】
しかも、瓶首状の隔壁１８０は、上部幅ｗ１をある程度確保することができる。隔壁１８０の上部幅ｗ１を中央幅ｗ２より広く形成することによって、隔壁１８０の上部と上部誘電体層１１３または第１基板１１１とが重畳される領域が黒色系列の色を表して、外光反射をさらに低減させうる。５０インチのＦＨＤ級ＰＤＰにおいて、適当な輝度を有し、かつ隔壁の不良率を低減させるために、放電領域は、第３セルピッチＰ３が５７６μｍ（放電領域のＹ軸方向の長さ）＋３５μｍ（隔壁の上部幅）＋１０５μｍ（非放電領域の間隔）＝７１６μｍであり、第４セルピッチＰ４が１９２μｍ（放電領域のＸ軸方向の長さ）＋３５μｍ（隔壁の上部幅）＝２２７μｍに形成しうる。したがって、ＦＨＤ級ＰＤＰを形成するためには、セルピッチが少なくても７５０μｍ以下に形成されうる。
【００６３】
図８は、図５に示すＰＤＰの平面図である。
【００６４】
図８に示すように、第１基板１１１を通じて相互補色関係を有する上部誘電体層１１３または第１基板１１１と縦隔壁１９４とが重畳される領域２００と、横隔壁１９６、バス電極１２１ｘ、１２１ｙ及び上部誘電体層１１３または第１基板１１１とが重なる領域２１０が、黒色系列の色で表示される。このような領域２００、２１０によって外光反射を効果的に低減させうる。
【００６５】
本発明は、図面に示す実施形態を参考として説明されたが、これは、例示的なものに過ぎず、当業者ならば、これから多様な変形及び均等な他の実施形態が可能であるという点が理解できるであろう。したがって、本発明の真の技術的保護範囲は、特許請求の範囲の技術的思想によって決まらねばならない。
【産業上の利用可能性】
【００６６】
本発明は、ＰＤＰに関連した技術分野に好適に適用されうる。
【図面の簡単な説明】
【００６７】
【図１】本発明の一実施形態に関するＰＤＰの分離斜視図である。
【図２】図１に示すＰＤＰのＩＩ−ＩＩ線による断面図である。
【図３】図１に示すＰＤＰのＩＩＩ−ＩＩＩ線による断面図である。
【図４】図１に示すＰＤＰの平面図である。
【図５】本発明の他の実施形態に関するＰＤＰの分離斜視図である。
【図６】図５に示すＰＤＰのＶＩ−ＶＩ線による断面図である。
【図７】図５に示すＰＤＰのＶＩＩ−ＶＩＩ線による他の断面図である。
【図８】図５に示すＰＤＰの平面図である。
【符号の説明】
【００６８】
１１１  第１基板
１１３  上部誘電層
１１５  保護層
１２０  放電電極
１２１  バス電極
１２３  透明電極
１７１  第２基板
１７３  下部誘電層
１７５  アドレス電極
１７７Ｒ  赤色蛍光体層
１７７Ｇ  緑色蛍光体層
１７７Ｂ  青色蛍光体層
１８０  隔壁
１９０Ｒ  赤色放電領域
１９０Ｇ  緑色放電領域
１９０Ｂ  青色放電領域
【図１】
2008243790.tif 000003
【図２】
2008243790.tif 000004
【図３】
2008243790.tif 000005
【図４】
2008243790.tif 000006
【図５】
2008243790.tif 000007
【図６】
2008243790.tif 000008
【図７】
2008243790.tif 000009
【図８】
2008243790.tif 000010